(57)【要約】【課題】貼着・剥離を複数回行っても粘着力を十分に維持することができる粘着体および包材を提供すること。【解決手段】粘着体６は、基材である蓋体４と、蓋体４に形成された粘着剤層５とを有するものである。この粘着体６の粘着剤層５は、被着体である包材本体３に対し複数回貼付と剥離とが繰り返される再剥離型のものである。そして、包材本体３に貼付された状態の粘着剤層５を蓋体４ごと剥離する際、その剥離回数が２回目の場合の剥離に要する剥離力をＦ２とし、剥離回数が２０回目の場合の剥離に要する剥離力をＦ２０としたとき、Ｆ２０／Ｆ２が０．５以上０．９９以下を満足する。【選択図】図３
2018127524.tif 000002
【特許請求の範囲】
【請求項１】
基材と、該基材上に形成された再剥離型の粘着剤層とを有する粘着体であって、
前記粘着剤層は、被着体に対し複数回貼付と剥離とが繰り返される層であり、
前記被着体に貼付された状態の前記粘着剤層を前記基材ごと剥離する際、その剥離回数が２回目の場合の剥離に要する剥離力をＦ２とし、前記剥離回数が２０回目の場合の剥離に要する剥離力をＦ２０としたとき、Ｆ２０／Ｆ２が０．５以上０．９９以下を満足することを特徴とする粘着体。
【請求項２】
前記剥離回数が５０回目の場合の剥離に要する剥離力をＦ５０としたとき、Ｆ５０／Ｆ２が０．３以上０．８以下である請求項１に記載の粘着体。
【請求項３】
前記剥離回数が５０回目の場合の剥離に要する剥離力をＦ５０としたとき、Ｆ５０／Ｆ２０が０．５以上０．９５以下である請求項１または２に記載の粘着体。
【請求項４】
前記粘着剤層は、粘着剤と、オイル成分を吸収し得るオイル吸収材とを含む粘着剤組成物で構成されている請求項１ないし３のいずれか１項に記載の粘着体。
【請求項５】
前記オイル吸収材は、繰り返し単位中に、複数の脂環構造を有する高分子化合物である請求項４に記載の粘着体。
【請求項６】
前記オイル吸収材は、下記式（１）で示される化学構造を有するものである請求項５に記載の粘着体。
【化１】
2018127524.tif 000007
（ただし、式（１）中、ｎは２以上の整数、ｍは１以上４以下の整数を示す。）
【請求項７】
前記粘着剤層中の前記オイル吸収材の含有率は、粘着剤１００質量部に対し、０．１質量部以上５０質量部以下ある請求項４ないし６のいずれか１項に記載の粘着体。
【請求項８】
前記粘着剤は、炭素数が５以上の脂肪族炭化水素基を有するモノマーを構成成分として含むものである請求項４ないし７のいずれか１項に記載の粘着体。
【請求項９】
前記粘着剤層は、炭素数が４以上のアルキレン基を分子内に有する可塑剤をさらに含むものである請求項４ないし８のいずれか１項に記載の粘着体。
【請求項１０】
前記粘着剤層は、第１の領域と、前記被着体に対する接着強度が前記第１の領域に比べて大である第２の領域とを有し、
前記第１の領域は、前記被着体に対し複数回貼付と剥離とが繰り返される部分となる請求項１ないし９のいずれか１項に記載の粘着体。
【請求項１１】
内部に収納物を収納する空間を有する包材本体と、前記包材本体から前記収納物を取り出すための開口をふさぐ蓋体と、前記包材本体と前記蓋体とを接合する粘着剤層とを有する包材であって、
前記蓋体は、請求項１ないし１０のいずれか１項に記載の粘着体における前記基材であり、
前記粘着剤層は、前記粘着体における前記再剥離型の粘着剤層であることを特徴とする包材。
【発明の詳細な説明】
【技術分野】
【０００１】
本発明は、粘着体および包材に関する。
【背景技術】
【０００２】
再剥離型の粘着剤層を有する粘着フィルム（再剥離型粘着フィルム）は、取扱いが容易で、各種のラベルや蓋材等に使用されている（例えば、特許文献１参照）。
【０００３】
しかしながら、従来の再剥離型粘着フィルムでは、貼着・剥離を多数回繰り返したり、粘着剤層に指で触れたり、粘着剤層にオイル成分が接触したりすると、被着体に対する粘着力が著しく低下し、必要な粘着力を維持することができなくなるという問題があった。
【先行技術文献】
【特許文献】
【０００４】
【特許文献１】特開２０１３−２４１６１４号公報
【発明の概要】
【発明が解決しようとする課題】
【０００５】
本発明の目的は、貼着・剥離を複数回行っても粘着力を十分に維持することができる粘着体および包材を提供することにある。
【課題を解決するための手段】
【０００６】
このような目的は、下記（１）〜（１１）の本発明により達成される。
（１）  基材と、該基材上に形成された再剥離型の粘着剤層とを有する粘着体であって、
前記粘着剤層は、被着体に対し複数回貼付と剥離とが繰り返される層であり、
前記被着体に貼付された状態の前記粘着剤層を前記基材ごと剥離する際、その剥離回数が２回目の場合の剥離に要する剥離力をＦ２とし、前記剥離回数が２０回目の場合の剥離に要する剥離力をＦ２０としたとき、Ｆ２０／Ｆ２が０．５以上０．９９以下を満足することを特徴とする粘着体。
【０００７】
（２）  前記剥離回数が５０回目の場合の剥離に要する剥離力をＦ５０としたとき、Ｆ５０／Ｆ２が０．３以上０．８以下である上記（１）に記載の粘着体。
【０００８】
（３）  前記剥離回数が５０回目の場合の剥離に要する剥離力をＦ５０としたとき、Ｆ５０／Ｆ２０が０．５以上０．９５以下である上記（１）または（２）に記載の粘着体。
【０００９】
（４）  前記粘着剤層は、粘着剤と、オイル成分を吸収し得るオイル吸収材とを含む粘着剤組成物で構成されている上記（１）ないし（３）のいずれかに記載の粘着体。
【００１０】
（５）  前記オイル吸収材は、繰り返し単位中に、複数の脂環構造を有する高分子化合物である上記（４）に記載の粘着体。
【００１１】
（６）  前記オイル吸収材は、下記式（１）で示される化学構造を有するものである上記（５）に記載の粘着体。
【化１】
2018127524.tif 000003
（ただし、式（１）中、ｎは２以上の整数、ｍは１以上４以下の整数を示す。）
【００１２】
（７）  前記粘着剤層中の前記オイル吸収材の含有率は、粘着剤１００質量部に対し、０．１質量部以上５０質量部以下である上記（４）ないし（６）のいずれかに記載の粘着体。
【００１３】
（８）  前記粘着剤は、炭素数が５以上の脂肪族炭化水素基を有するモノマーを構成成分として含むものである上記（４）ないし（７）のいずれかに記載の粘着体。
【００１４】
（９）  前記粘着剤層は、炭素数が４以上のアルキレン基を分子内に有する可塑剤をさらに含むものである上記（４）ないし（８）のいずれかに記載の粘着体。
【００１５】
（１０）  前記粘着剤層は、第１の領域と、前記被着体に対する接着強度が前記第１の領域に比べて大である第２の領域とを有し、
前記第１の領域は、前記被着体に対し複数回貼付と剥離とが繰り返される部分となる上記（１）ないし（９）のいずれかに記載の粘着体。
【００１６】
（１１）  内部に収納物を収納する空間を有する包材本体と、前記包材本体から前記収納物を取り出すための開口をふさぐ蓋体と、前記包材本体と前記蓋体とを接合する粘着剤層とを有する包材であって、
前記蓋体は、上記（１）ないし（１０）のいずれかに記載の粘着体における前記基材であり、
前記粘着剤層は、前記粘着体における前記再剥離型の粘着剤層であることを特徴とする包材。
【発明の効果】
【００１７】
本発明によれば、貼着・剥離を複数回行っても粘着力を十分に維持することができる粘着体および包材を提供することができる。
【図面の簡単な説明】
【００１８】
【図１】図１は、本発明の粘着体を包材に適用した場合（本発明の包材）の実施形態を示す斜視図である。
【図２】図２は、図１に示す包材の蓋体を閉じた状態（未使用時）における断面側面図である。
【図３】図３は、図１に示す包材の蓋体を開いた状態（使用時）における断面側面図である。
【図４】蓋体の構成例を示す平面図である。
【図５】粘着剤層の構成例を示す断面側面図である。
【発明を実施するための形態】
【００１９】
以下、本発明の粘着体および包材を添付図面に示す好適な実施形態に基づいて詳細に説明する。
【００２０】
図１は、本発明の粘着体を包材に適用した場合（本発明の包材）の実施形態を示す斜視図である。図２は、図１に示す包材の蓋体を閉じた状態（未使用時）における断面側面図である。図３は、図１に示す包材の蓋体を開いた状態（使用時）における断面側面図である。以下、これらの図に基づき、本発明の実施形態に係る粘着体および包材について説明する。なお、以下の説明では、図１〜図３中の上側を「上」、下側を「下」と言い、図１〜図３中左側を「基端部」、右側を「先端部」と言う。
【００２１】
［包装体（包材）の構成］
図１〜図３に示すように、本発明の包装体１は、包材２と、包材２の内部に形成された空間Ｓに収納された収納物１０とを有している。
【００２２】
収納物１０としては、特に限定されないが、本実施形態では、乾燥した、または液体を含浸したシート（ウェットシート）１１とされ、このようなシート１１が所望に折りたたまれた状態で複数枚（例えば、６〜１００枚）収納されている。液体を含浸したシート１１の具体例としては、ウェットティッシュ、化粧落としシート、油とりペーパー、薬用ペーパー、抗菌ペーパー、おしりふき、自動車用ペーパー、窓ふきペーパー、トイレ掃除用ペーパー等が挙げられる。
【００２３】
シート１１に含浸されている液体としては、その用途により適宜決定されるが、例えば、水分、オイル成分（例えば、クレンジングオイル、パラフィン、流動パラフィン、ワックス、ワセリン、セレシン、モンタンロウ、ホホバ種子油、ヒマシ油）、アルコール等の揮発成分、界面活性剤、ローション、グリセリン等の保湿成分、香料、抗菌剤等が含まれている。このうち、クレンジングオイルとしては、鉱物油およびシリコーンオイルを含むものがある。
【００２４】
特に、シート１１は、オイル成分を含むものであるのが好ましい。この場合には、後述する粘着剤層５がオイル吸収材（オイル成分吸収材）を有することによる本発明の効果をより有効に発揮することができる。
【００２５】
なお、本発明では、シート１１は、液体が含浸されたものに限定されないことは、言うまでもない。
【００２６】
包材２は、包材本体３と、蓋体４とを有している。また、包材本体３と蓋体４とは、蓋体４に形成された粘着剤層５を介して接合される。包材本体３は、その内部に収納物１０すなわち複数枚のシート１１を収納する空間Ｓを有しており、所望の形状のシート材３１（フィルム）を適宜成形、接合等して袋状としたものである。例えば、筒状に形成したシート材３１の両端開口部を融着（熱融着、高周波融着、超音波融着等）または接着により封止して封止部３２を形成し、袋状としたものである。
【００２７】
シート材３１は、可撓性を有するものであるのが好ましく、その構成材料としては、例えば、ポリエチレン、ポリプロピレン、エチレン−酢酸ビニル共重合体（ＥＶＡ）等のポリオレフィン；ポリエチレンテレフタレート（ＰＥＴ）、ポリブチレンテレフタレート等のポリエステル；アセテート樹脂、アクリロニトリル−ブタジエン−スチレン共重合（ＡＢＳ）、ポリスチレン、ポリ塩化ビニル、ポリアミド、ポリエステルアミド、ポリエーテル、ポリイミド、ポリアミドイミド、ポリ−ｐ−フェニレンスルフィド、ポリエーテルエステル等の各種樹脂材料が挙げられ、これらから選択される１種または２種以上を組み合わせて用いることができる。
【００２８】
また、シート材３１は、単層でも複数の層の積層体でもよい。シート材３１が積層体で構成されている場合、前記で例示した樹脂材料のうち異なる２種以上の樹脂の層を積層したものが挙げられる。また、樹脂の層に金属層（例えば、金属箔、金属蒸着層等）が接合されたものを用いてもよい。金属層を構成する金属の種類は、例えば、アルミニウムまたはアルミニウム合金、ステンレス鋼等が挙げられる。
【００２９】
このように、シート材３１を積層体で構成すること、特に積層体が金属層を有することにより、シート材３１の気体不透過性（ガスバリア性）が向上したり、紫外線の不透過性を付与したりすることができ、収納物１０の保存性を向上することができる。
【００３０】
また、シート材３１は、各種の表面処理、例えば粘着剤層５との密着性を高めるための表面処理が施されたものであってもよい。例えば、シート材３１の少なくとも粘着剤層５が貼着される部分（外周部２４の上面および破断片２３の上面）に、粘着剤層５との密着性、気密性を高めるための表面処理が施されたものであってもよい。
【００３１】
また、シート材３１の表面に、例えば、文字や図形を印刷するための印刷層（印刷用コート層）、保護層、表面性状（光沢等）を改善するための層等の各種の機能層が設けられていてもよい。このような機能層は、蓋体４の上面にも設けられていてもよい。
【００３２】
シート材３１の厚さは、特に限定されないが、１５μｍ以上５００μｍ以下であるのが好ましく、２０μｍ以上１００μｍ以下であるのがより好ましい。
【００３３】
このような包材本体３は、使用の際、収納物１０であるシート１１を取り出すための開口２２が形成される。図２には、包装体１の未使用時、すなわち、蓋体４が閉じられ、開口２２が形成される前の状態が示されている。図２に示すように、包材本体３の上部には、例えば、ハーフカット、ノッチ（Ｖ次状溝）、ミシン目等で構成される易破断部２１が線状に設けられている。この易破断部２１は、シート材３１の他の箇所（易破断部２１の近傍）よりも破断強度が小さく、外力が付与されると、シート材３１はこの易破断部２１で破断され、開封される。易破断部２１は、開口２２の輪郭に対応した形状（例えば、円形、楕円形、小判形、四角形）に形成されており、易破断部２１を破断した後は、シート材３１の易破断部２１で囲まれる部分（易破断部２１より内側の部分）は、破断片２３となる。
【００３４】
蓋体４は、開口２２をふさぐためのものであり、シート材３１と同様の可撓性を有するシート材（フィルム）で構成されている。蓋体４の構成材料としては、前述したシート材３１の構成材料と同様のものが挙げられ、また、その好ましい厚さも前述したシート材３１の厚さと同様である。なお、蓋体４を構成するシート材と包材２を構成するシート材３１とは、構成材料や厚さが異なっていてもよい。
【００３５】
蓋体４は、図２中左側に位置する基端部４１を有し、その反対側の端部（先端部）にタブ４２を有している。このタブ４２を指でつまんで蓋体４を先端部側から上方へ持ち上げ、開口２２を形成（開封）し、または既に形成された開口２２を露出する操作を行う。かかる操作の際、蓋体４の基端部４１は、その直下の粘着剤層５を剥離せず、貼着状態を維持する。これにより、開口２２よりシート１１を取り出す際には、蓋体４はその基端部４１において包材本体３との連結状態が維持される。
【００３６】
この蓋体４の下面（包材本体３側の面）には、後に詳述する粘着剤層５が例えば塗工により形成（接合）されており、この粘着剤層５により包材本体３と蓋体４とが接合されている。この粘着剤層５は、蓋体４の下面のタブ４２を除く部分に形成されている。
【００３７】
なお、粘着剤層５は、蓋体４の下面に直接形成（接合）されていてもよいが、粘着剤層５と蓋体４との間に少なくとも１層の中間層（図示せず）が介在していてもよい。この中間層としては、例えば、蓋体４に対する粘着剤層５の接合強度を高めるためのもの（例えば、接着剤層、強粘着剤層）が挙げられる。
【００３８】
また、蓋体４の下面（粘着剤層５の接合面）には、粘着剤層５との接合強度を高めるための表面処理が施されていてもよい。このような表面処理としては、例えば、酸化法や凹凸化法等によるものが挙げられる。酸化法としては、例えば、コロナ放電処理（コロナ処理）、クロム酸処理（湿式）、火炎処理、熱風処理、オゾン・紫外線照射処理等が挙げられ、また、凹凸化法としては、例えば、ブラスト法、溶剤処理法等が挙げられる。
【００３９】
これらの表面処理法は、蓋体４の構成材料に応じて適宜選択されるが、一般にはコロナ処理が効果および操作性等の面で好ましい。また、表面処理の他の方法として、プライマー処理を施すこともできる。
【００４０】
以上のような中間層の形成や表面処理の有無に係らず、粘着剤層５の蓋体４に対する接合強度は、包材本体３に対する接合強度よりも大（好ましくは、１．２倍以上５０倍以下）となっている。これにより、蓋体４をタブ４２側から上方へ持ち上げ、開口２２を形成（開封）または露出する操作を行う際、粘着剤層５は、蓋体４側に接合された状態を維持しつつ、包材本体３から剥離する。特に、包材本体３側への糊残り、すなわち粘着剤層５を構成する粘着剤組成物の外周部２４表面への残余も防止される。
【００４１】
図２に示すように、包装体１が未使用の状態では、易破断部２１は破断されておらず、蓋体４に形成された粘着剤層５が包材本体３の上面に貼着されている。粘着剤層５は、易破断部２１すなわち後に形成される開口２２を包含する領域に形成されており、粘着剤層５および蓋体４により易破断部２１、その内側の部分（破断片２３となる部分）および易破断部２１の外周部２４が覆われている。
【００４２】
この状態から、タブ４２を指でつまんで蓋体４を先端部側から上方へ持ち上げると、図１および図３に示すように、粘着剤層５は、蓋体４側に接合された状態を維持しつつ、包材本体３から剥離する。このとき、易破断部２１の内側の部分、すなわち破断片２３となる部分は、粘着剤層５の下面に貼着された状態が維持され、蓋体４と共に持ち上げられるため、易破断部２１が徐々に破断し、開口２２が形成（開封）されてゆく。易破断部２１の外側近傍である外周部２４においては、粘着剤層５が剥離される。蓋体４の基端部４１における粘着剤層５を残して（基端部４１における粘着剤層５は、シート材３１から剥離せずに貼着された状態を維持して）、粘着剤層５をシート材３１の易破断部２１の外周部２４から剥離すると、易破断部２１のほぼ全体が破断され、破断片２３が粘着剤層５に貼着され（蓋体４側に移行し）、これと共に開口２２が形成される。このようにして、包材２が開封される。
【００４３】
以上のようにして包材２が開封されたら、収納物１０のうち最上部にあるシート１１を指でつまみ、開口２２より取り出すことができる。なお、シート１１は、通常は１枚ずつ取り出すが、複数枚を同時に取り出してもよい。
【００４４】
シート１１を取り出した後は、蓋体４を元の状態（図２に示す状態）に戻す。すなわち、包材本体３の上側に位置するシート材３１に形成された開口２２の外周部２４（開口２２を囲む領域）に、粘着剤層５を再び貼着する。これにより、開口２２が封止される。このとき、破断片２３は、開口２２内に戻って開口２２を封止すると共に、粘着剤層５は、シート材３１の開口２２の外周部に好ましくは隙間なく密着するため、包材２の密閉性を確保することができる。これにより、以降の保管中に、収納物１０に含浸された液体が揮発し、包材２外に放散されること（収納物１０が乾燥すること）が防止される。また、保管中に、外部から包材２内に、塵、埃、細菌等が侵入し、収納物１０が汚染することも防止される。
【００４５】
このように、蓋体４にて開口２２が封止された状態（図２に示す状態）から次回シート１１を取り出す際には、タブ４２を指でつまんで蓋体４を先端部側から上方へ持ち上げると、粘着剤層５は、蓋体４側に接合された状態を維持しつつ、外周部２４から剥離される。易破断部２１は既に破断しているため、破断片２３も粘着剤層５に貼着された状態を維持しつつ、蓋体４と共に持ち上げられ、開口２２が先端部側から徐々に露出する。蓋体４の基端部４１における粘着剤層５を残して、粘着剤層５を外周部２４から剥離すると、開口２２のほぼ全体が露出する。このようにして、包材２が再び開状態となる。これにより、再び、最上部にあるシート１１を取り出すことができる。
【００４６】
シート１１を取り出した後は、開口２２の外周部２４に、粘着剤層５を再び貼着し、蓋体４を閉じる（図２に示す元の状態に戻す）。これにより、開口２２が再び封止される。このように、複数回シート１１を取り出す作業が行われるが、シート１１を取り出す度に、粘着剤層５の外周部２４からの剥離および貼着が行われる。すなわち、包装体１では、粘着剤層５の外周部２４からの剥離および貼着が繰り返し行われる（以下「複数回の剥離・貼着操作」と言う）。この回数は、未使用の包材２内に収納されているシート１１の枚数に相当する場合がある。
【００４７】
次に、粘着剤層５の構成について説明する。粘着剤層５は、蓋体４を基材として、当該蓋体４の下面（裏面）に形成されている。そして、蓋体４と粘着剤層５とは、包材本体３を被着体とする粘着体６を構成している。粘着剤層５（粘着剤層５の全部または一部の領域：以下同様）は、粘着剤と、オイル成分（以下単に「オイル」と言う場合もある）を吸収し得るオイル吸収材とを有している。
【００４８】
本実施形態では、粘着剤層５は、粘着剤と、オイル成分を吸収し得るオイル吸収材とを含む粘着剤組成物で構成されている。なお、オイル成分には、乳化されたオイル成分も含まれる。
【００４９】
粘着剤層５の種類は、特に限定されないが、前述したように、被着体である包材本体３に対し剥離と貼着とが複数回繰り返される使用態様であることから、再剥離型の粘着剤層となっている。そのため、粘着剤層５を構成する粘着剤組成物は、再剥離型粘着剤組成物であるのが好ましい。以下、詳細に説明する。
【００５０】
［粘着剤組成物（再剥離型粘着剤組成物）］
前述したように、粘着剤組成物は、再剥離型粘着剤組成物であるのが好ましい。本発明において、「再剥離型」とは、被着体（包材２の開口２２の外周部２４）に対する貼着および剥離を繰り返し（複数回）行うことが可能なもののことを言う。
【００５１】
本発明における再剥離型粘着剤組成物は、粘着剤と、オイル成分を吸収し得るオイル吸収材とを含む。
【００５２】
このように、オイル吸収材を含むことにより、粘着剤層５の表面（下面）がオイルと接触した際、そのオイルを効率よく吸収、保持し、粘着剤層５の外周部２４（被着体）との接触面におけるオイルの存在量を低下させることができる。その結果、オイルと接触した場合であっても、外周部２４に対する粘着力を良好に維持することができ、すなわち、包材２の密閉性をより高く維持することができ、前述した効果が発揮される。
【００５３】
粘着剤層５の表面（下面）がオイルと接触する原因としては、第１に、開口２２よりシート１１を取り出す際、シート１１が粘着剤層５の表面に触れて、そこにシート１１に含まれているオイル成分が付着すること、第２に、開口２２よりシート１１を取り出す際、シート１１が外周部２４の表面（上面）に触れて、そこにシート１１に含まれているオイル成分が付着し、その後蓋体４を閉じた際に、粘着剤層５の表面（下面）が外周部２４の表面（上面）に付着しているオイルと接触すること、第３に、手指が粘着剤層５の表面に触れた際、手指に付着していたオイル成分（人体から分泌したオイル成分も含む）が粘着剤層５に移行し付着すること、等が挙げられる。
【００５４】
ここで、オイル成分としては、特に限定されないが、例えば、炭素数が５以上の炭化水素、炭素数が５以上の脂肪酸やそのエステル化合物（グリセリン等の多価アルコールとのエステル（例えば、トリグリセリド等）等の油脂等を含む）、各種シリコーンオイル（例えば、メチコン、シクロメチコン等）等が挙げられる。
【００５５】
また、オイル成分には、鉱物油、合成油の他、オリーブオイル、ごま油、ホホバ油等の植物油、魚油、ラード、皮膚から分泌される油等の動物油等も含まれる。
【００５６】
粘着剤層５中に含まれる粘着剤、特に再剥離型粘着剤組成物中に含まれる粘着剤（以下単に「粘着剤」と言う）としては、例えば、アクリル系、合成ゴム系、天然ゴム系、シリコーン系等が挙げられるが、その中でもアクリル系粘着剤またはこれを主とするものが好ましい。
【００５７】
これにより、シート材３１（被着体）に対する粘着性をより優れたものとすることができ、十分な粘着力を確保することができる。特に、複数回の剥離・貼着操作に対しても、十分な粘着力を維持することができる。
【００５８】
アクリル系粘着剤は、アクリル酸、メタクリル酸（以下、これらをまとめて「（メタ）アクリル酸」とも表記する。）またはこれらのエステル化合物（アクリレート、メタクリレート（以下、これらをまとめて「（メタ）アクリレート」とも表記する。））等の（メタ）アクリル酸誘導体をモノマー成分として含むものであればよく、前記以外のモノマー成分を含むものであってもよい。
【００５９】
粘着剤は、炭素数が５以上の脂肪族炭化水素基を有するモノマーを構成成分として含むものであるのが好ましい。これにより、粘着剤組成物（特に、再剥離型粘着剤組成物）全体としての親油性がより優れたものとなる。その結果、後に詳述するオイル吸収材を含むことによる効果と相まって、吸収したオイルをより好適に内部に保持することができ、オイルに接触した場合における粘着力の保持効果をより優れたものとすることができる。また、粘着剤とオイル吸収材（特に、複数の脂環構造を有する高分子化合物であるオイル吸収材）との親和性をより優れたものとすることができ、粘着剤組成物中での不本意な組成のばらつきをより効果的に防止することができ、各部位でより安定したオイル吸収機能が発揮される。
【００６０】
このように、粘着剤は、炭素数が５以上の脂肪族炭化水素基を有するモノマーを構成成分として含むものであるのが好ましいが、当該脂肪族炭化水素基の炭素数は、６以上であるのがより好ましく、８以上１６以下であるのがさらに好ましい。これにより、前述したような効果がより顕著に発揮される。
【００６１】
また、前記脂肪族炭化水素基は、環状構造や分岐鎖構造を有するものであってもよいが、直鎖構造のものであるのが好ましい。これにより、前述したような効果がより顕著に発揮される。
【００６２】
粘着剤を構成する分子（高分子）中において前記脂肪族炭化水素基を有するモノマーの占める割合は、５０質量％以上であるのが好ましく、６０質量％以上であるのがより好ましい。これにより、前述したような効果がより顕著に発揮される。
【００６３】
アクリル系粘着剤を構成するモノマー成分としては、例えば、（メタ）アクリル酸、メチル（メタ）アクリレート、エチル（メタ）アクリレート、ブチル（メタ）アクリレート、２−エチルヘキシル（メタ）アクリレート、ドデシル（メタ）アクリレート等が挙げられるが、中でも、ドデシル（メタ）アクリレートが好ましい。
【００６４】
これにより、粘着剤組成物（特に、再剥離型粘着剤組成物）全体としての親油性がより優れたものとなる。その結果、後に詳述するオイル吸収材を含むことによる効果と相まって、吸収したオイルをより好適に内部に保持することができ、オイルに接触した場合における粘着力の保持効果をより優れたものとすることができる。また、粘着剤とオイル吸収材（特に、複数の脂環構造を有する高分子化合物であるオイル吸収材）との親和性をより優れたものとすることができ、再剥離型粘着剤組成物中での不本意な組成のばらつきをより効果的に防止することができ、各部位でより安定したオイル吸収機能が発揮される。
【００６５】
アクリル系粘着剤の分子（高分子）中における極性基（例えば、水酸基、カルボキシル基、アミノ基や、これらの塩等）を有するモノマーの含有率は、十分に低いものであるのが好ましい。
【００６６】
より具体的には、アクリル系粘着剤の分子（高分子）中における極性基を有するモノマーの含有率は、１０質量％以下であるのが好ましく、５質量％以下であるのがより好ましく、２質量％以下であるのがさらに好ましい。
【００６７】
これにより、粘着剤組成物（特に、再剥離型粘着剤組成物）全体としての親油性がより優れたものとなる。その結果、後に詳述するオイル吸収材を含むことによる効果と相まって、吸収したオイルをより好適に内部に保持することができ、オイルに接触した場合における粘着力の保持効果をより優れたものとすることができる。
なお、粘着剤としては、溶剤型、エマルジョン型のいずれを用いてもよい。
【００６８】
また、粘着剤組成物（特に、再剥離型粘着剤組成物）は、粘着剤として、架橋剤により架橋した架橋型粘着剤を含むものであるのが好ましい。
【００６９】
これにより、粘着剤層５の凝集力をより優れたものとすることができ、被着体から剥離する際の糊残りをより効果的に防止することができる。
【００７０】
架橋剤としては、例えば、脂肪族イソシアネート化合物、芳香族イソシアネート化合物、エポキシ化合物、金属キレート化合物、アジリジン系化合物等のポリイミン化合物、メラミン樹脂、尿素樹脂、ジアルデヒド類、メチロールポリマー、金属アルコキシド、金属塩等が使用できる。より具体的には、例えば、ヘキサメチレンジイソシアネート（ＨＭＤＩ）等やその誘導体である脂肪族イソシアネート化合物、アルミニウム−イソプロピレート、アルミニウム−ｓｅｃブチレート、アルミニウムアセチルアセトナート等のアルミニウムキレート化合物や、テトライソプロピルチタネート、テトラキス（２−エチルヘキソキシ）チタネート等のチタンキレート化合物等の金属キレート化合物等が挙げられる。
【００７１】
架橋剤の含有量は、特に限定されないが、粘着主剤のポリマー成分１００質量部に対して、１．５質量部以上７．５質量部以下であるのが好ましく、２質量部以上６．５質量部以下であるのがより好ましく、３質量部以上６質量部以下であるのがさらに好ましい。
【００７２】
これにより、再剥離、すなわち複数回の剥離・貼着操作に適した（過不足の無い適度な）粘着力が得られるとともに、外周部２４への糊残りの発生をより効果的に防止することができる。
【００７３】
粘着剤層５が有するオイル吸収材は、オイル成分を吸収し、粘着剤層５の表面に接触したオイル成分を粘着剤層５の内部（粘着剤組成物の内部）に取り込む機能を有するものであるのが好ましい。
【００７４】
粘着剤層５がこのようなオイル吸収材を有することにより、粘着剤層５がオイルと接触した場合に、その表面におけるオイル残量を少なくすることができ、被着体であるシート材３１の外周部２４との密着性（粘着力）を良好に維持することができる。
【００７５】
オイル吸収材は、前述のような機能を有するものであれば、いかなるものであってもよいが、例えば、内部に空孔を有する多孔質体（フィラーの凝集体等を含む）、オイルを吸収することにより膨潤・ゲル化するゲル化剤等が挙げられる。
【００７６】
このようなオイル吸収材は、より高い効率で、オイル吸収材の内部にオイルを取り込み、その状態をより好適に保持することができる。よって、このようなオイル吸収材を用いることにより、前述したような効果がより顕著に発揮される。
【００７７】
多孔質体で構成されるオイル吸収材において、その空孔率は、特に限定されないが、１０体積％以上８０体積％以下であるのが好ましく、１５体積％以上７０体積％以下であるのがより好ましい。
【００７８】
これにより、より多くのオイルを吸収することができるとともに、多孔質体の機械的強度を十分に確保することができ、より安定的に吸収したオイル成分を保持することができる。
【００７９】
多孔質体の構成材料としては、例えば、ケイ酸カルシウム、炭酸カルシウム、ケイ藻土、二酸化ケイ素（シリカ）、酸化アルミニウム（アルミナ）、モンモリロナイト、カオリン等の粘土鉱物、各種ガラス、各種金属、食塩等の無機化合物、乳酸カルシウム、乳糖等の低分子有機化合物、デキストリン、加工澱粉、多孔質澱粉等の澱粉類、結晶セルロース、メチルセルロース、セルロースエーテル化合物等のセルロース誘導体、ポリビニルアルコール等が挙げられる。
【００８０】
また、多孔質体は、疎水化処理（親油化処理）等の表面処理が施されたものであってもよい。これにより、多孔質体とオイルとの親和性が向上し、多孔質体は、より高い効率で、オイル成分を吸収、保持することができる。
【００８１】
特に、オイル吸収材が多孔質体である場合、その空孔の内壁面に疎水化処理が施されているのが好ましい。これにより、前述した効果がより顕著に発揮される。
【００８２】
このような疎水化処理としては、例えば、シラン系カップリング剤、チタネート系カップリング剤等のカップリング剤で処理する方法、脂肪酸の亜鉛塩やマグネシウム塩やアルミ塩を用いた金属石鹸処理法等が挙げられる。
【００８３】
また、オイル吸収材としては、繰り返し単位中に、複数の脂環構造を有する高分子化合物を用いてもよい。
【００８４】
これにより、オイル吸収材とオイル成分との親和性が向上し、オイル吸収材は、より高い効率で、オイル成分を吸収、保持することができる。また、このようなオイル吸収材は、前述したような粘着剤（特に、炭素数が５以上の脂肪族炭化水素基を有するモノマーを構成成分として含む高分子としての粘着剤）との親和性が特に優れたものであり、粘着剤層５中での不本意な組成のばらつきをより効果的に防止することができ、各部位でより安定したオイル吸収機能が発揮される。
【００８５】
特に、オイル吸収材は、下記式（１）で示される化学構造を有するものであるのが好ましい。
【００８６】
【化２】
2018127524.tif 000004
（ただし、式（１）中、ｎは２以上の整数、ｍは１以上４以下の整数を示す。）
これにより、前述したような効果がより顕著に発揮される。
【００８７】
粘着剤層５（粘着剤組成物）は、複数種のオイル吸収材を有するものであってもよい。これにより、これらが相乗的に作用しあい、前述したような効果がより顕著に発揮される。特に、作用メカニズムが異なる複数種のオイル吸収材を組み合わせた場合（例えば、多孔質体と、繰り返し単位中に、複数の脂環構造を有する高分子化合物とを有する場合等）に、前述の効果はさらに顕著なものとなる。より具体的には、例えば、オイル吸収材として、主に速やかなオイルの吸収に寄与する成分（例えば、繰り返し単位中に、複数の脂環構造を有する高分子化合物等）と、粘着剤層に吸収されたオイルを貯蔵する機能を有する成分（例えば、多孔質体等）とを含む場合、これらの成分の間でのオイルの移動により、速やかなオイル吸収と、長期間にわたってオイルの染みだしの防止とを、両立することができ、長期間にわたって、優れた効果が安定的に得られる。
【００８８】
粘着剤層５中（粘着剤組成物中）のオイル吸収材の含有率は、特に限定されないが、粘着剤１００質量部に対し、０．１質量部以上５０質量部以下であるのが好ましく、１質量部以上３０質量部以下であるのがより好ましく、５質量部以上２０質量部以下であるのがさらに好ましい。
【００８９】
オイル吸収材の含有率が低すぎると、用いるオイル吸収材の種類によっては、あるいはオイル成分の付着量が過剰な場合等には、前述したようなオイル吸収材を含むことによる効果が十分に発揮されない可能性がある。また、オイル吸収材の含有率が高すぎると、粘着剤の含有率が相対的に低下し、粘着剤の機能、特に、オイル成分の頻回の付着によっても粘着力を十分に維持する機能が不十分となる可能性がある。
【００９０】
粘着剤層５を構成する粘着剤組成物は、可塑剤を含むものであってもよい。
これにより、粘着剤層５の柔軟性、弾性をより優れたものとすることができる。また、再剥離型粘着剤組成物を用いて形成される粘着剤層５において、再剥離性をより優れたものとすることができ、粘着剤層５を被着体であるシート材３１から剥離する際（蓋体４をめくって開口２２を露出させる際）の手めくり感をより優れたものとすることができる。
【００９１】
可塑剤としては、例えば、フタル酸ジメチル、フタル酸ジエチル、フタル酸ジブチル、フタル酸ジオクチル、フタル酸ジ−ｎ−オクチル、フタル酸ジシクロヘキシル等のフタル酸エステル系可塑剤、トリメリット酸トリオクチル、トリメリット酸トリイソノニル、トリメリット酸トリイソデシル、トリメリット酸２−エチルヘキシル等のトリメリット酸エステル系可塑剤、フタル酸系ポリエステル等のポリエステル系可塑剤、リン酸トリクレジル、リン酸トリオクチル、リン酸トリフェニル等のリン酸エステル系可塑剤、エポキシ化アマニ油、エポキシ化ステアリン酸ブチル等のエポキシ系可塑剤等が挙げられるが、炭素数が４以上のアルキレン基を分子内に有するものが好ましい。
【００９２】
これにより、粘着剤組成物（粘着剤層５）全体としての親油性がより優れたものとなる。その結果、オイル吸収材を含むことによる効果と相まって、吸収したオイル成分をより好適に内部に保持することができ、オイル成分に接触した場合における粘着力の保持効果をより優れたものとすることができる。また、可塑剤とオイル吸収材（特に、複数の脂環構造を有する高分子化合物であるオイル吸収材）との親和性や、可塑剤と粘着剤（特に、前述したような好適な化学構造を有する粘着剤）との親和性をより優れたものとすることができ、粘着剤組成物中、粘着剤層５中での不本意な組成のばらつきをより効果的に防止することができ、各部位でより安定したオイル吸収機能が発揮される。
【００９３】
また、可塑剤としては、分子内に、芳香族環構造を有さないものを用いるのが好ましい。
【００９４】
これにより、粘着剤組成物（特に、再剥離型粘着剤組成物）全体としての親油性がより優れたものとなる。その結果、オイル吸収材を含むことによる効果と相まって、吸収したオイルをより好適に内部に保持することができ、オイルに接触した場合における粘着力の保持効果をより優れたものとすることができる。また、可塑剤とオイル吸収材（特に、複数の脂環構造を有する高分子化合物であるオイル吸収材）との親和性や、可塑剤と粘着剤（特に、前述したような好適な化学構造を有する粘着剤）との親和性をより優れたものとすることができ、再剥離型粘着剤組成物中、粘着剤層５中での不本意な組成のばらつきをより効果的に防止することができ、各部位でより安定したオイル吸収機能が発揮される。
【００９５】
また、可塑剤が多価カルボン酸成分とアルコール成分とのエステル化合物である場合、前記アルコール成分は、炭素数が８以上のアルキル基を有するものであるのが好ましい。
【００９６】
これにより、粘着剤組成物（粘着剤層５）全体としての親油性がより優れたものとなる。その結果、オイル吸収材を含むことによる効果と相まって、吸収したオイル成分をより好適に内部に保持することができ、オイル成分に接触した場合における粘着力の保持効果をより優れたものとすることができる。また、可塑剤とオイル吸収材（特に、複数の脂環構造を有する高分子化合物であるオイル吸収材）との親和性や、可塑剤と粘着剤（特に、前述したような好適な化学構造を有する粘着剤）との親和性をより優れたものとすることができ、粘着剤組成物中、粘着剤層５中での不本意な組成のばらつきをより効果的に防止することができ、各部位でより安定したオイル吸収機能が発揮される。
【００９７】
上記のような条件を満たす可塑剤としては、例えば、下記式（２）、下記式（５）で示される化学構造を有するもの等が挙げられる。
【００９８】
【化３】
2018127524.tif 000005
（ただし、式（２）中、ｍは４以上の整数、ｌは８以上の整数を示す。）
【００９９】
【化４】
2018127524.tif 000006
（ただし、式（５）中、ｌは８以上の整数を示す。）
【０１００】
このような可塑剤を用いることにより、粘着剤組成物（粘着剤層５）全体としての親油性がさらに優れたものとなる。その結果、オイル吸収材を含むことによる効果と相まって、吸収したオイル成分をさらに好適に内部に保持することができ、オイル成分に接触した場合における粘着力の保持効果をさらに優れたものとすることができる。また、可塑剤とオイル吸収材（特に、複数の脂環構造を有する高分子化合物であるオイル吸収材）との親和性や、可塑剤と粘着剤（特に、前述したような好適な化学構造を有する粘着剤）との親和性をさらに優れたものとすることができ、粘着剤組成物中、粘着剤層５中での不本意な組成のばらつきをさらに効果的に防止することができ、各部位でさらに安定したオイル吸収機能が発揮される。
【０１０１】
このような効果は、上記式（２）で示される化学構造を有する可塑剤、上記式（５）で示される化学構造を有する可塑剤のうち少なくとも一方を、前述した複数の脂環構造を有する高分子化合物であるオイル吸収材、および、炭素数が５以上の脂肪族炭化水素基を有するモノマーを構成成分として含む粘着剤と併用した場合により顕著に発揮される。
【０１０２】
粘着剤層５中（粘着剤組成物中）の可塑剤の含有率は、特に限定されないが、粘着剤１００質量部に対し、１質量部以上３０質量部以下であるのが好ましく、５質量部以上２５質量部以下であるのがより好ましい。
【０１０３】
可塑剤の含有率が低すぎると、可塑剤の種類等によっては、前述したような可塑剤を含むことによる効果が十分に発揮されない可能性がある。また、可塑剤の含有率が高すぎると、粘着剤層５の柔軟性が過度となるおそれがある。
【０１０４】
粘着剤層５（粘着剤組成物）は、前述した以外の成分（添加剤等）を含むものであってもよい。このような成分としては、例えば、各種樹脂、硬化触媒、溶媒、軟化剤、染料、顔料等の着色剤、アニリド系、フェノール系等の酸化防止剤、ベンゾフェノン系、ベンゾトリアゾール系等の紫外線吸収剤、光安定剤、分散剤、レベリング剤、帯電防止剤等が挙げられる。これらの成分の含有量は、特に限定されないが、溶媒を除くこれらの成分全体として、１０質量％を超えないことが好ましい。
【０１０５】
粘着剤層５の厚さは、特に限定されないが、１μｍ以上１００μｍ以下あるのが好ましく、３μｍ以上５０μｍ以下であるのがより好ましく、５μｍ以上３０μｍ以下であるのがさらに好ましい。これにより、粘着剤層５における粘着力を過不足なく得ることができる。
【０１０６】
次に、粘着剤層５の形成方法について説明する。粘着剤層５の形成方法は、特に限定されないが、予め用意された蓋体４（シート片）の片面（図２中の下面）に、前述した粘着剤組成物（特に、再剥離型粘着剤組成物）を付与（塗工）することにより好適に形成することができる。
【０１０７】
粘着剤層５を形成するための粘着剤組成物の付与は、例えば、液状の粘着剤組成物（塗布液）を、コンマコーター、グラビアコーター、ナイフコーター、バーコーター等により、蓋体４の表面に塗布することにより行われる。その後、その塗布液による塗膜を固化させることにより、粘着剤層５を形成することができる。
【０１０８】
粘着剤層５は、塗布液としての粘着剤組成物とは異なる組成を有するものであってもよい。例えば、粘着剤組成物を塗布した後、含まれる溶媒を除去してもよいし、塗布された塗膜に対し硬化反応、架橋反応を進行させることにより、重合度、架橋度を高めることを行ってもよい。
【０１０９】
また、粘着剤層５の形成に際して、粘着剤組成物と他の成分とを混合して、塗布液を調整してもよい。例えば、粘着剤層５の形成に際して、粘着剤組成物と溶媒とを混合してもよい。
【０１１０】
用いる溶媒としては、例えば、酢酸エチル、酢酸ブチル等のエステル系溶媒、メチルイソブチルケトン、メチルエチルケトン、シクロヘキサノン等のケトン系溶媒、トルエン、キシレン等の芳香族炭化水素系溶媒等が挙げられ、これらから選択される１種または２種以上を組み合わせて用いることができる。
【０１１１】
塗布液は塗布可能なものであればよく、塗布液における固形分濃度は、特に限定されないが、０．５質量％以上１０質量％以下であるのが好ましく、１質量％以上５質量％以下であるのがより好ましい。
【０１１２】
また、粘着剤層５は、いったん剥離材（剥離ライナー）上に形成し（例えば前述した塗工により形成し）、その後、その粘着剤層を蓋体４の下面に貼り合せ、剥離材を除去する方法（転写する方法）で形成されてもよい。
【０１１３】
また、前述したように、形状が完成した蓋体４（シート片）に粘着剤層５を形成するのではなく、蓋体４を打ち抜き等により形成する前の（蓋体４形成用の）母材シートの片面に前記と同様の方法（塗工法、転写法等）により粘着剤層を形成し、その後この母材シートから蓋体４を所望の形状に打ち抜き、粘着剤層５付きの蓋体４、すなわち、粘着体６を製造することもできる。
【０１１４】
＜包材本体の他の構成例＞
以上で説明した包装体１（包材２）では、包材本体３は、その全体が可撓性を有するシート材３１で構成されていたが、本発明では、これに限定されない。例えば、包材本体は、箱状のもの（筐体）で構成され、その一部（例えば上部）に開口２２と同様の開口（開封、未開封を問わず）が形成されたものであってもよい。
【０１１５】
＜蓋体の他の構成例＞
図４には、蓋体の第２の構成例が平面視で示されている。以下、同図に示す蓋体４について説明するが、前述した蓋体４と同様の事項についてはその説明を省略し、相違点を中心に説明する。
【０１１６】
図４に示す蓋体４は、基端部４１の両側部に、それぞれ、スリット４３が形成されている。前述したように、初回開口２２を形成（開封）する際および２回目以降開口２２を露出させる際には、蓋体４をタブ４２側から持ち上げてその下面に形成されている粘着剤層５を包材本体３のシート材３１の外周部２４から剥離するが、これらの際には、蓋体４の基端部４１における粘着剤層５は、シート材３１から剥離せずに貼着された状態を維持する。基端部４１の両側部に設けられた一対のスリット４３は、基端部４１がシート材３１から剥離（離脱）するのを阻止する機能を有する。すなわち、蓋体４の開操作に際しては、蓋体４およびその下面に形成された粘着剤層５を先端側から基端側に向かって徐々に剥離するが、開口２２のほぼ全体が形成または露出した後は、一対のスリット４３の部位（特にスリット４３の基端）でその剥離が停止される。この意味で、スリット４３は、剥離停止手段（剥離停止部）と言える。
【０１１７】
このような剥離停止手段を有する蓋体４を前述した包装体１（包材２）に適用することにより、開口２２の形成（開封）、露出の際、すなわち初回および２回目以降のシート１１の取り出しの際に、蓋体４全体を包材本体３から剥離（離脱）してしまうことを、より確実に防止することができ、蓋体４の開閉操作をより容易、確実に行うことができる。
【０１１８】
＜粘着剤層の他の構成例＞
図５には、粘着剤層の第２の構成例が示されている。以下、同図に示す粘着剤層５について説明するが、前述した粘着剤層５と同様の事項についてはその説明を省略し、相違点を中心に説明する。
【０１１９】
図５に示す粘着剤層５は、第１領域５１と、第２領域５２とを有する。第２領域５２は、蓋体４の基端部４１に対応する部位（基端部４１の直下の部位）に形成され、第１領域５１は、蓋体４の基端部４１およびタブ４２を除く部位に形成されている。粘着剤層５が包材本体３の上面に接合された状態では、第１領域５１は、開口２２（易破断部２１および破断片２３）を包含すると共に、開口２２の外周の外周部２４を覆っている。
【０１２０】
粘着剤層５の第１領域５１は、包材本体３に対し複数回貼付と剥離とが繰り返される部分となる。このため、第１領域５１は、前述した粘着剤層５の構成、組成等と同様であるのが好ましい。すなわち、第１領域５１は、再剥離型の粘着剤層であるのが好ましく、再剥離型粘着剤組成物で構成されているのが好ましい。そして、粘着剤層５の第１領域５１を構成する粘着剤組成物（特に、再剥離型粘着剤組成物）は、前記と同様に、粘着剤と、オイル成分を吸収し得るオイル吸収材とを含む。
【０１２１】
粘着剤層５の第２領域５２は、再剥離型粘着剤組成物で構成されていなくてもよい。すなわち、第２領域５２は、再剥離を前提としない通常の粘着剤組成物、強粘着性を示す粘着剤組成物等で構成されている。第２領域５２を構成する粘着剤組成物は、粘着剤を含有するが、前述したオイル吸収材を必ずしも含有していなくてもよい。第２領域５２は、包材本体３に一旦貼着されると、剥離されないため、オイル成分と接触する機会がないからである。また、第２領域５２は、接着剤（例えば、エポキシ系接着剤）で構成されていてもよい。
【０１２２】
このように、第２領域５２の被着体（包材本体３のシート材３１）に対する接着強度［ＳＡ２］は、第１領域５１の被着体（包材本体３のシート材３１）に対する接着強度［ＳＡ１］よりも大きい。すなわち、ＳＡ１／ＳＡ２＜１［単位：Ｎ］であり、ＳＡ１／ＳＡ２≦０．８であるのが好ましく、０．０５≦ＳＡ１／ＳＡ２≦０．６７であるのがさらに好ましい。
【０１２３】
前述したように、初回開口２２を形成（開封）する際および２回目以降開口２２を露出させる際には、蓋体４をタブ４２側から持ち上げてその下面に形成されている粘着剤層５を包材本体３のシート材３１の外周部２４から剥離するが、これらの際には、蓋体４の基端部４１における粘着剤層５の第２領域５２は、シート材３１から剥離せずに貼着された状態を維持する。このとき、第２領域５２のシート材３１に対する接着強度（剥離強度）は、第１領域５１のそれに比べて大きいので、基端部４１がシート材３１から剥離（離脱）するのを阻止する機能を発揮する。すなわち、蓋体４の開操作に際しては、蓋体４およびその下面に形成された粘着剤層５を先端側（第１領域５１側）から基端側に向かって徐々に剥離するが、開口２２のほぼ全体が形成または露出した後は、第２領域５２のシート材３１に対する強粘着（強い接着強度）により、その剥離が停止される。この意味で、第２領域５２は、剥離停止手段（剥離停止部）と言える。
【０１２４】
このような第１領域５１と第２領域５２とを有する粘着剤層５を前述した包装体１（包材２）に適用することにより、開口２２の形成（開封）、露出の際、すなわち初回および２回目以降のシート１１の取り出しの際に、蓋体４全体を包材本体３から剥離（離脱）してしまうことを、より確実に防止することができ、蓋体４の開閉操作をより容易、確実に行うことができる。
【０１２５】
［粘着体の剥離回数と剥離力との関係］
ところで、複数回の剥離・貼着操作を繰り返すうちに、条件によっては、包材本体３に対する粘着剤層５の粘着力がどうしても徐々に低下してしまう傾向がある。ここで「条件」としては、例えば、包装体１の使用環境や保管環境、１日当たりの前記剥離・貼着操作の回数（過剰な操作回数）、前記剥離・貼着操作に伴う粘着剤層５への過剰なオイル成分の接触や過剰な指の接触、収納物１０を使い切るまでの日数（期間）、包材２を構成する各部材自体の経時的な劣化等の各種諸条件がある。そして、粘着剤層５の粘着力が低下すると、蓋体４がシート材３１の開口２２を塞いだとしても、包材２の密閉性を確保するのが不十分（困難）となる。この場合、収納物１０に含浸された液体が揮発して、包材２外に放散されたり（収納物１０が乾燥したり）、外部から包材２内に、塵、埃、細菌等が侵入し、収納物１０が汚染されたりする等の不具合が生じることがある。
【０１２６】
そこで、本発明者らは、各種諸条件下で粘着剤層５の粘着力が低下したとしても、下記比（式）を満足することにより、前記不具合を確実に防止することができる程度の粘着力の低下とすることができることを見出した。これにより、複数回の剥離・貼着操作を繰り返しても、すなわち、貼着・剥離を複数回行っても、蓋体４がシート材３１の開口２２を確実に塞いで包材２の密閉性を十分に確保することができ、よって、前記不具合を確実に防止することができる。
【０１２７】
包材本体３に貼付された状態の粘着剤層５を蓋体４ごと剥離する際、その剥離回数がｎ回目の場合の剥離に要する剥離力をＦ（ｎ）とする（ｎは２以上（シート１１の枚数以下）の整数）。剥離力Ｆ（ｎ）は、（ｎ−１）回剥離した後に再度貼着したときの粘着剤層５の粘着力を超えて、粘着剤層５を蓋体４ごと過不足なく剥離することができる大きさとなる。
【０１２８】
粘着体６では、剥離回数が２回目の場合の剥離に要する剥離力Ｆ２と、剥離回数が２０回目の場合の剥離に要する剥離力Ｆ２０との比Ｆ２０／Ｆ２は、０．５以上０．９９以下を満足し、好ましくは０．７以上０．９９以下を満足し、より好ましくは０．８５以上０．９９以下を満足する。なお、比Ｆ２０／Ｆ２をこのような数値範囲とするには、例えば、前述した粘着剤層５を構成する各材料の含有量や含有率等を調整することにより可能となる（後述する比Ｆ５０／Ｆ２、比Ｆ５０／Ｆ２０についても同様）。
【０１２９】
そして、比Ｆ２０／Ｆ２が前記下限値を下回った場合には、２０回目に蓋体４を剥離する以前の状態で、例えば蓋体４と包材２との間に隙間が生じて、包材２の密閉性が不十分となっている可能性がある。
【０１３０】
また、包装体１の使用者は、複数回の剥離・貼着操作を繰り返すうちに、その操作が楽になると思う傾向にあるが、比Ｆ２０／Ｆ２が前記上限値を上回った場合には、当該操作がなかなか楽にならないと感じることがある。
【０１３１】
また、剥離力Ｆ２と、剥離回数が５０回目の場合の剥離に要する剥離力Ｆ５０との比Ｆ５０／Ｆ２は、０．３以上０．８以下であるのが好ましく、０．５以上０．８以下であるのがより好ましい。さらに、剥離力Ｆ２０と、剥離力Ｆ５０との比Ｆ５０／Ｆ２０は、０．５以上０．９５以下であるのが好ましく、０．７以上、０．９５以下であるのがより好ましい。
【０１３２】
このような数値範囲により、剥離回数２０回を超えても、継続して、粘着剤層５の粘着力を、前記不具合を確実に防止することができる程度に十分に維持することができる。
【０１３３】
以上、本発明を各実施形態に基づいて説明したが、本発明は、これらに限定されるものではなく、例えば、各実施形態における各構成を任意に組み合わせたものも本発明に含まれる。
【符号の説明】
【０１３４】
１            包装体
２            包材
２１          易破断部
２２          開口
２３          破断片
２４          外周部
３            包材本体
３１          シート材
３２          封止部
４            蓋体
４１          基端部
４２          タブ
４３          スリット
５            粘着剤層
５１          第１領域
５２          第２領域
６            粘着体
１０          収納物
１１          シート（ウェットシート）
Ｓ            空間
【図１】
2018127524.tif 000008
【図２】
2018127524.tif 000009
【図３】
2018127524.tif 000010
【図４】
2018127524.tif 000011
【図５】
2018127524.tif 000012